(57)【要約】【課題】帳票印の印影イメージに存在するかすれや欠けを補正する技術を提供する。【解決手段】断面が円形の印鑑の照合すべき印影イメージを登録印の印影イメージと照合するために、前記照合すべき印影イメージに存在する欠損を補正する補正処理を実行するための印影照合装置、方法、プログラムが開示される。補正処理は、照合すべき印影イメージ内の欠損部分を検出し、照合すべき印影イメージの外周画素を決定し、照合印影イメージの外周画素のうち、欠損部分を補正することによって、達成される。【選択図】図４
2019020972.tif 000002
【特許請求の範囲】
【請求項１】
断面が円形の印鑑の照合対象の印影イメージを登録印の印影イメージと照合するために、前記照合すべき印影イメージに存在する欠損を補正する補正処理をコンピュータに実行させるプログラムであって、
前記コンピュータに、
前記照合対象の印影イメージ内の欠損部分を検出させ、
前記照合対象の印影イメージの外周画素を決定させ、
前記照合対象の印影イメージの前記外周画素のうち、前記欠損部分を補正させる、
プログラム。
【請求項２】
前記欠損部分の検出は、前記照合すべき印影イメージから、ベクトルイメージを生成して、検出する、請求項１に記載のプログラム。
【請求項３】
前記欠損部分の補正は、前記ベクトルイメージを中心点の周りに回転して行う、請求項２に記載のプログラム。
【請求項４】
前記欠損部分の補正は、前記照合すべき印影イメージから、エッジイメージを生成することを更に含む、請求項２又は請求項３に記載のプログラム。
【請求項５】
前記エッジイメージから、前記印影イメージの外周の線の太さを決定する、請求項４に記載のプログラム。
【請求項６】
前記欠損部分を補正することは、前記ベクトルイメージを中心点の周りに回転して得た、補正用の画素の線と、前記エッジイメージから得られた線の太さを用いて、前記欠損部分を補正することを含む、請求項５に記載のプログラム。
【請求項７】
前記中心点は、前記印影イメージの印鑑領域の対角線の交点とする、請求項３〜６のいずれか１項に記載のプログラム。
【請求項８】
断面が円形の印鑑の照合対象の印影イメージを登録印の印影イメージと照合するために、前記照合すべき印影イメージに存在する欠損を補正する補正処理をコンピュータに実行させる方法であって、
前記コンピュータが、
前記照合対象の印影イメージ内の欠損部分を検出し、
前記照合対象の印影イメージの外周画素を決定し、
前記照合対象の印影イメージの前記外周画素のうち、前記欠損部分を補正する、
方法。
【請求項９】
断面が円形の印鑑の照合対象の印影イメージを登録印の印影イメージと照合するために、前記照合すべき印影イメージに存在する欠損を補正する補正処理を行う印影照合装置であって、
前記照合対象の印影イメージ内の欠損部分を検出する欠損検出手段と、
前記照合対象の印影イメージの外周画素を決定する外周画素決定手段と、
前記照合対象の印影イメージの前記外周画素のうち、前記欠損部分を補正する欠損部分補正手段と、
を備える、印影照合装置。
【発明の詳細な説明】
【技術分野】
【０００１】
本発明は、金融機関等における印鑑照合業務に用いられる印影照合装置、方法及びプログラムに関する。
【背景技術】
【０００２】
印鑑照合業務では、金融機関等に届け出た、登録されている登録印と帳票に押印された帳票印を照合する。
【０００３】
登録印は、印鑑票からイメージスキャナで読取られ、電子化されて印鑑データベースに格納されている。帳票印は、営業店端末などでイメージスキャナから読取られ電子化される。
【０００４】
この登録印イメージと帳票印イメージとの照合（システム的に重ねた画像を作成／表示、一致率の算出）を行った場合、かすれや欠けていると、登録印と帳票印とが同一印であるにも関わらず、重ね合わせに失敗したり、一致率が低く算出されたりするケースがあった。
【０００５】
従来技術には、特許文献１及び２のように、印影画像の欠けを検出するもの、特許文献３のように、２つの印影を重ね合わせるものが存在する。
【先行技術文献】
【特許文献】
【０００６】
【特許文献１】特開２０１１−１８６８２０号公報
【特許文献２】特開２００３−２８１５３８号公報
【特許文献３】特開２００２−０７４３６７号公報
【発明の概要】
【発明が解決しようとする課題】
【０００７】
帳票印にかすれや欠けが発生しているために、同一印にもかかわらず、登録印と帳票印のイメージの重ね合わせが失敗したり、一致率が低く算出されたりすると、本来認証すべきユーザを偽ユーザとして判定してしまい、業務に支障が出ることがある。したがって、登録印と帳票印のイメージの照合において、帳票印のイメージにあるかすれや欠けから受ける影響をできるだけ少なくすることが望まれる。
【０００８】
印鑑を帳票に押した状態がかすれていたり欠けていたりしている場合、その帳票を電子化した際、帳票印の印影イメージを補正する技術は従来なかった。
【０００９】
本発明の課題は、帳票印の印影イメージに存在するかすれや欠けを補正する技術を提供することである。
【課題を解決するための手段】
【００１０】
本発明の第１の側面によるプログラムは、断面が円形の印鑑の照合対象の印影イメージを登録印の印影イメージと照合するために、照合すべき印影イメージに存在する欠損を補正する補正処理をコンピュータに実行させるプログラムであって、コンピュータに、照合対象の印影イメージ内の欠損部分を検出させ、照合対象の印影イメージの外周画素を決定させ、照合対象の印影イメージの外周画素のうち、欠損部分を補正させる。
【００１１】
本発明の第２の側面による方法は、断面が円形の印鑑の照合対象の印影イメージを登録印の印影イメージと照合するために、照合すべき印影イメージに存在する欠損を補正する補正処理をコンピュータに実行させる方法であって、コンピュータが、照合対象の印影イメージ内の欠損部分を検出し、照合対象の印影イメージの外周画素を決定し、照合対象の印影イメージの外周画素のうち、前記欠損部分を補正する。
【００１２】
本発明の第３の側面による印影照合装置は、断面が円形の印鑑の照合対象の印影イメージを登録印の印影イメージと照合するために、照合すべき印影イメージに存在する欠損を補正する補正処理を行う印影照合装置であって、照合対象の印影イメージ内の欠損部分を検出する欠損検出手段と、照合対象の印影イメージの外周画素を決定する外周画素決定手段と、照合対象の印影イメージの外周画素のうち、欠損部分を補正する欠損部分補正手段と、を備える。
【発明の効果】
【００１３】
本発明によると、帳票印の印影イメージに存在するかすれや欠けを補正する技術を提供することができる。
【図面の簡単な説明】
【００１４】
【図１】本実施形態による印影照合システムのシステム構成図である。
【図２】本実施形態による印影照合装置のブロック構成図である。
【図３】本実施形態による印鑑照合における重ね合わせ処理を説明する図（その１）である。
【図４】本実施形態による印鑑照合における重ね合わせ処理を説明する図（その２）である。
【図５】本実施形態による印鑑照合における重ね合わせ処理を説明する図（その３）である。
【図６】本実施形態で使用する各種印影イメージの特徴を説明する図（その１）である。
【図７】本実施形態で使用する各種印影イメージの特徴を説明する図（その２）である。
【図８】本実施形態で使用する各種印影イメージの特徴を説明する図（その３）である。
【図９】本実施形態による印影イメージの欠損部分の検出を具体的に説明する図である。
【図１０】本実施形態による欠損部分の補正処理を具体的に説明する図（その１）である。
【図１１】本実施形態による欠損部分の補正処理を具体的に説明する図（その２）である。
【図１２】本実施形態による欠損部分の補正処理を具体的に説明する図（その３）である。
【図１３】本実施形態による欠損部分の補正処理を具体的に説明する図（その４）である。
【図１４】本実施形態による欠損部分の補正処理を具体的に説明する図（その５）である。
【図１５】本実施形態による欠損部分の補正処理を具体的に説明する図（その６）である。
【図１６】本実施形態による中点算出処理を説明する図（その１）である。
【図１７】本実施形態による中点算出処理を説明する図（その２）である。
【図１８】本実施形態による印影照合システムがコンピュータを用いて実装される場合の、コンピュータのハードウェア環境図である。
【発明を実施するための形態】
【００１５】
本発明の実施形態においては、イメージスキャナから読取られ、電子化された印影イメージに欠けやかすれがあった場合、この部分を補正する技術を提供する。また、本実施形態は、特に、印鑑の外周が円形の印影イメージに適用される。
【００１６】
図１は、本実施形態による印影照合システムのシステム構成図である。
印影照合システム９は、画像読取装置１１、表示装置１３、印影制御装置１０、印影データベース１２からなる。印影制御装置１０は、印影検索装置１４と印影照合装置１５を含む。
【００１７】
画像読取装置１１は、イメージスキャナ等からなり、印影照合の対象となる、帳票に捺印された帳票印を画像として読み取る。表示装置１３は、液晶ディスプレイ等からなり、読み取った印影イメージや印影データベース１２から読み込まれた登録印影イメージなどを、表示する。印影データベース１２は、金融機関等においてアカウントを開設する際等に登録する印鑑の印影イメージを、ユーザの情報と共に格納する。
【００１８】
印影制御装置１０の印影検索装置１４は、画像読取装置１１から印影イメージが読み取られた場合、印影イメージと共に入力されるユーザ情報を用いて、印影データベース１２から、帳票の印影イメージと照合される登録印影イメージを検索する。印影照合装置１５は、帳票の印影イメージと登録印影イメージを照合し、ユーザが正当なユーザであるか否かを認証する。
【００１９】
図２は、本実施形態による印影照合装置のブロック構成図である。
図２においては、印影照合装置１５の内部の機能ブロックが記載されている。その他の構成は、図１と同様であるので、同一の参照番号を付し、説明を省略する。
【００２０】
印影照合装置１５は、印影最適化処理部２０、印影補正処理部２１、印影重ね合わせ処理部２２、一致率算出部２３を備えている。
【００２１】
印影最適化処理部２０は、印影イメージを照合しやすいように前処理する。印影補正処理部２１は、本実施形態において説明するように、帳票の印影イメージにかすれや欠けがあっても、一致率が小さくなったり、同一印が異なるものと判断されたりしないように、印影イメージを補正する。
【００２２】
印影重ね合わせ処理部２２は、補正された帳票の印影イメージと、登録印影イメージとを重ね合わせる処理部である。一致率算出部２３は、重ね合わされた印影イメージから、帳票の印影イメージと登録印影イメージとの一致率を算出するものである。ここで算出された一致率が閾値より大きい場合、帳票の印影イメージと登録印影イメージとが一致したと判断される。一致率の算出方法は、任意の既存の方法を用いることができる。
【００２３】
図３〜図５は、本実施形態による印鑑照合における重ね合わせ処理を説明する図である。
【００２４】
印鑑照合における重ね合わせ処理の流れは、大きく３段階に分けられる。第１は、印影最適化処理であり、第２は、印影補正処理であり、第３は、印影重ね合わせ処理である。
【００２５】
図３に示される印影最適化処理においては、ステップ（１）として、登録印の印鑑領域の抽出を行う。照合に用いるべき登録印の印影イメージが決まったら、登録印影イメージから印鑑領域を求める。つまり、処理１として、罫線削除を行い、罫線が削除された罫線削除イメージを作成する。処理２として印影イメージからゴミ取りを既存の技術を用いて行い、ゴミ取りイメージを作成する。処理３として、罫線削除イメージとゴミ取りイメージをＡＮＤ合成したイメージを作成する。処理４として、ＡＮＤ合成したイメージにラベリングを行い、印鑑領域を抽出する。
【００２６】
ステップ（２）として、照合印の印鑑領域の抽出を行う。つまり、帳票の印影イメージなどの照合印の印影イメージから、照合印の印鑑領域を求める。処理１として、照合印の印影イメージから罫線削除を行い、罫線削除イメージを作成する。処理２として、照合印の印影イメージから、既存の技術を用いて、ゴミ取りを行い、ゴミ取りイメージを作成する。処理３として、罫線削除イメージとゴミ取りイメージをＡＮＤ合成したイメージを作成する。処理４として、ＡＮＤ合成したイメージにラベリング処理を行い、印鑑領域を抽出する。
【００２７】
図４に示される、印影補正処理においては、ステップ（３）として、ステップ（２）で求めたイメージを使って欠損部分を検出する。処理１として、ステップ（２）で求めたイメージからベクトルイメージを作成する。処理２として、ベクトルイメージの画素を、Ｘ、Ｙ座標から仮の原点からの距離（ρ）と角度（θ）の座標に変換する。処理３として、ベクトルイメージを１８０°回転する。処理４として、１８０°回転したイメージに処理２と同じ変換を行う。処理５として、処理２と処理４の画像を重ねる。処理６として、上方向から下方向へドットの有無を調べ、重なっていない部分を検出する。処理７として、検出した座標を欠損部分とする。
【００２８】
ステップ（４）として、照合印の欠損部分を補正する。つまり、ステップ（３）で求めたイメージを使って補正を行なう。処理１として、ベクトルイメージの中心点を算出する。この場合、最適化後のイメージを用いているため、対角線を結んだ点を中心点としても良い。処理２として、中心点から一番遠い画素を外周とする。処理３として、ステップ（３）で求めた欠損部分の画素を補正する。処理４として、ステップ（２）のイメージからエッジイメージを作成する。処理５として、外周部分より中心点に向かって次の画素が出てくる距離を算出する。処理６として、処理５をすべての外周で行い、距離の平均を求める。処理７として、処理３で作成した補正ベクトルイメージと処理６で求めた距離を使用し、ステップ（２）の画素イメージを補正する。
【００２９】
図５に示される、印影重ね合わせ処理においては、ステップ（５）として、回転角度・移動量の算出を行う。登録印イメージ、照合印イメージから、回転角度、移動量を算出する。登録印イメージと照合印イメージを数学的に変換し、登録印に対し、最も類似度の高い照合印の回転角度と移動量を算出する。なお、回転角度については数学的変換の特性により、算出範囲は１８０°までとすることができる。そのため、一度算出した回転角度に１８０°を足した画像（反転画像）で類似度を求め、より類似度の高い角度を採用する。
【００３０】
ここでは、回転角度と移動量の具体的な数学的算出方法は示していないが、任意の既存の技術を使って、イメージの回転角度と移動量を算出することができる。
【００３１】
ステップ（６）として、回転角度・移動量の微調整を行う。ステップ（５）で算出した回転角度や移動量を、登録印イメージ、照合印イメージを重ね合わせながら微調整する。特に、これは、画素一致率が最も高くなるように行う。ステップ（５）で算出した回転角度と移動量を使用して、登録印イメージと照合印イメージを重ね合わせる。その際、回転角度と移動量を少しずつずらしながら重ね合わせ、画素一致率が最も高くなった回転角度と移動量を照合率算出に用いる。
【００３２】
図６〜図８は、本実施形態で使用する各種印影イメージの特徴を説明する図である。
図６は、通常の画素イメージの特徴である。画素イメージは、印鑑の黒領域の重なり具合から同一性／相違性を検出する。特徴としては、印鑑の細部のばらつきを吸収し、同一印を安定的に識別することができる。図６の例では、帳票印がかすれているが、同一印であることは、画素一致率が高いことから示される。
【００３３】
図７は、ベクトルイメージの特徴である。ベクトルイメージは、印鑑の黒領域の中心線の重なり具合から同一性／相違性を検出する。特徴としては、印鑑の黒領域の位置ずれに反応し、部分的に黒領域の位置が異なる相違印を識別することができる。図７の例では、形状が異なる印鑑を相違印であると、ベクトルイメージを用いて判別した例である。図７の登録印と帳票印では、外形がやや異なっている。
【００３４】
図８は、エッジイメージの特徴である。エッジイメージは、印鑑の黒領域の輪郭の重なり具合から同一性／相違性を検出する。特徴としては、印鑑の黒領域の太さや輪郭のずれに反応し、部分的に黒領域の太さの異なる相違印を検出することができる。図８の例では、文字の端の形状が異なる印鑑を相違印であると、エッジイメージを用いて判別した例である。図８の例においては、登録印と帳票印では、文字の端の形状がわずかに異なっている。
【００３５】
このように、ベクトルイメージは、黒領域の中心線を求めた画像のため、印影イメージの形状を特徴化できる。エッジイメージは、印影イメージの輪郭を特徴化できる。したがって、この２つの特徴画像を使用することによって、より精度の高い補正を可能とすることができる。しかし、本実施形態では、ベクトルイメージとエッジイメージの２つの特徴画像を用いて、印影の補正を行なうが、他の実施形態においては、必ずしもこれらを用いる必要はなく、どちらか一方のみの使用でも、これらを使わず、画素イメージのみで補正をするようにしてもよい。
【００３６】
図９は、本実施形態による印影イメージの欠損部分の検出を具体的に説明する図である。
【００３７】
まず、照合印の印影イメージを、例えば、Hilditch法によりベクトル画像化する（ａ）。照合印のベクトル画像から、画素のＸ、Ｙ座標を使って、仮の原点からの距離（ρ）と角度（θ）の座標で表される変換画像を生成する（ｂ）。照合印の印影イメージを１８０°回転した画像を作成する（ｃ）。回転後の照合印の印影イメージを、画素のＸ、Ｙ座標を使って、仮の原点からの距離(ρ）と角度（θ）の座標に変換した変換画像を生成する（ｄ）。（ｂ）の変換画像と（ｄ）の変換画像を重ねて、重なっていない外周を算出する（ｅ）。この場合、重ねたイメージについて左上から１ドットずつ重なりをチェックする。変換画像の上方向から下方向へ初めて検出するドット部分で重なっていない部分が欠損部分となる。
【００３８】
図１０〜図１５は、本実施形態による欠損部分の補正処理を具体的に説明する図である。
【００３９】
図１０は、帳票印の印影イメージに欠損があるため、登録印の印影イメージと照合した結果、相違点が検出されることを示している。（１）が登録印の印影イメージであり、（２）が上部に欠損がある、登録印と同一の印鑑の帳票印の印影イメージの例である。（１）と（２）を照合すると、（３）のようになるが、上部にある部分が、相違点として検出される。
【００４０】
図１１は、本実施形態の例において、照合過程で作成するイメージの例である。（１）は、画素を中抜けにしたエッジイメージであり、（２）は、画素を線化したベクトルイメージである。本実施形態では、一例として、これらを用いて説明するが、本発明を実施する際には、必ずしもこれらのイメージは必要ではなく、画素イメージのみでも、画素イメージとエッジイメージだけ、画素イメージとベクトルイメージだけでもよい。
【００４１】
図１２の（１）においては、欠損部分の検出処理において生成されたベクトルイメージを用いる。このとき、ベクトルイメージの元となった照合印イメージは、予め照合用に最適化されている。印影を囲む正方形の印鑑領域が予め定められており、ベクトルイメージにおいても、この領域が定められているものとする。この場合、印影の中心点は、この印鑑領域の対角線が交差する点とすることができる。次に、図１２（２）において、（１）で決定された中心点からの距離が最も大きい（最も遠い）画素を印影の外周の画素であるとする。
【００４２】
図１３の（１）において、ベクトルイメージを中心点の周りに回転させたものと、元のベクトルイメージとを重ね合わせ、外周の画素の欠損部分に、回転させたベクトルイメージの画素を転写するなどして補正する。次に、図１３の（２）において、照合印の印影イメージから、エッジイメージを作成する。エッジイメージの作成方法は、任意の既存の技術を利用することができる。
【００４３】
図１４において、エッジイメージでも、ベクトルイメージと同様に中心点を求め、中心点から最も遠い画素が外周の画素であるとし、外周部分から中心点に向かって次の画素までの距離を算出する。これを、外周全体について行い、求めた距離の平均を求める。この距離の平均が、外周の線の太さとなる。
【００４４】
次に、図１５において、図１３の（１）で作成した補正ベクトルイメージと、図１４において求めた距離から、画素イメージの外周の線の欠損部分を補正する。つまり、補正ベクトルイメージの外周の線を中心線とし、図１４で求めた外周の線の太さを有する外周の線を、画素イメージに加える。
【００４５】
以上のように、印影イメージの外周を補正することにより、重ね合わせ処理の精度が向上し、ひいては、照合率の向上に繋がる。
【００４６】
図１６及び図１７は、本実施形態による中点算出処理を説明する図である。
まず、登録印の印影イメージは、印鑑領域が最適化処理により決定された状態で保存されているものとする。したがって、登録印の印影イメージと帳票印の印影イメージとを重ね合わせることにより、帳票印の印影イメージの印鑑領域が決定し、印鑑領域の対角線の交点を帳票印の印影イメージの中心点として定めることができる。
【００４７】
まず、登録印と帳票印の印影イメージについて、最適化が既になされているものとする。次に、登録印と帳票印の印影イメージを細線化して、それぞれの細線化画像を得る。細線化画像を得る方法は、任意の既存の技術を利用することができる。
【００４８】
次に、細線化画像から角度成分を抽出し、登録印と帳票印の細線化画像の角度差を検出する。登録印の細線化画像を回転し、帳票印の細線化画像と角度を合わせた画像を得る。以上の処理により得た、回転処理を、登録印の画素イメージに施し、登録印と帳票印の画素イメージの角度が一致する。
【００４９】
次に、角度を合わせた登録印と帳票印の画素イメージを重ね合わせ、登録印の画素イメージを上下左右に移動して、登録印と帳票印の画素イメージの重なりが最も大きい位置を探す。重なりの大きさを示す指標は、画素同士の相関係数など、任意の既存の技術を用いることができる。登録印と帳票印の画素イメージが最も類似頻度の高い位置が分かると、登録印と帳票印が重なったと考えられるので、登録印の印鑑領域を帳票印の印鑑領域に設定し、印鑑領域の対角線の交点を帳票印の印影イメージの中心点とする。
【００５０】
図１８は、本実施形態による印影照合システムがコンピュータを用いて実装される場合の、コンピュータのハードウェア環境図である。
【００５１】
コンピュータ２９は、ＣＰＵ３０、ＲＯＭ３３、ＲＡＭ３４、インタフェース（Ｉ／Ｆ）３５、入力装置３１、出力装置３２、及び記憶装置３７を備え、これらは、相互に通信可能なように、バス３６によって接続される。
【００５２】
ＣＰＵ３０は、バス３６を介して、ＲＯＭ３３に格納されるＢＩＯＳを実行することにより、コンピュータ２９の基本機能を実現する。ＲＡＭ３４は、プログラムを、ＣＰＵ３０が実行可能なように展開して記憶するものである。プログラムの作業領域もこのＲＡＭ３４に設けられる。
【００５３】
記憶装置３７は、ハードディスクなどであり、本実施形態の処理を実行するプログラムをコンピュータ２９にインストールすることにより、当該プログラムは、記憶装置３７に記憶される。記憶装置３７に記憶されるプログラムは、ＲＡＭ３４に展開されることにより、ＣＰＵ３０によって実行される。特に、本実施形態の場合、記憶装置３７には、印影データベース１２が設けられ、必要に応じて、ＲＡＭ３４に読み出されて、処理される。
【００５４】
入力装置３１は、ユーザからの命令や、処理に必要なデータなどを、コンピュータ２９に入力するための装置であり、キーボード、タッチパネル、マウス、トラックボール、マイク、イメージスキャナなどを含む。特に、本実施形態の場合、帳票印の印影イメージは、イメージスキャナによって、帳票の画像を読み込むことによって、コンピュータ２９に読み込まれ、記憶装置３７に格納される。
【００５５】
出力装置３２は、ユーザへ、コンピュータ２９の処理結果等を表示するためのものであり、液晶ディスプレイやブラウン管、プラズマディスプレイ等のディスプレイ装置、プリンタ、スピーカ等を含むものである。
【００５６】
Ｉ／Ｆ３５は、外部装置とコンピュータ２９を接続する装置であり、特に、記録媒体ドライブが接続された場合には、可搬記録媒体に格納されたプログラムやデータをコンピュータ２９に読み込んだり、コンピュータ２９から可搬記録媒体にデータやプログラムを書き込んだりすることができる。可搬記録媒体は、コンピュータ２９が解釈し、実行可能なコードなどを磁気的方法、光学的方法などの方法で格納する。可搬記録媒体は、ＣＤ−ＲＯＭ、ＤＶＤ，フレキシブルディスク、磁気テープ、などの持ち運ぶ事ができる記録媒体を含む。
【００５７】
また、Ｉ／Ｆ３５は、ネットワークインタフェースを含むことができる。ネットワークインタフェースは、コンピュータ２９を、ネットワークを介して、他のコンピュータなどに接続し、通信可能とする装置である。ネットワークは、インターネット、イントラネット、ＬＡＮ、ＷＡＮ、Ｂｌｕｅｔｏｏｔｈ（登録商標）、赤外線通信、公衆電話網、携帯電話網など、ローカルなネットワーク、グローバルなネットワークいずれでも、コンピュータ２９が他のコンピュータとデータやプログラムの転送を行うことができる有線又は無線のネットワークを含む。
【符号の説明】
【００５８】
９      印影照合システム
１０      印影制御装置
１１      画像読取装置
１２      印影データベース
１３      表示装置
１４      印影検索装置
１５      印影照合装置
２０      印影最適化処理部
２１      印影補正処理部
２２      印影重ね合わせ処理部
２３      一致率算出部
２９      コンピュータ
３０      ＣＰＵ
３１      入力装置
３２      出力装置
３３      ＲＯＭ
３４      ＲＡＭ
３５      インタフェース（Ｉ／Ｆ）
３６      バス
３７      記憶装置
【図１】
2019020972.tif 000003
【図２】
2019020972.tif 000004
【図３】
2019020972.tif 000005
【図４】
2019020972.tif 000006
【図５】
2019020972.tif 000007
【図６】
2019020972.tif 000008
【図７】
2019020972.tif 000009
【図８】
2019020972.tif 000010
【図９】
2019020972.tif 000011
【図１０】
2019020972.tif 000012
【図１１】
2019020972.tif 000013
【図１２】
2019020972.tif 000014
【図１３】
2019020972.tif 000015
【図１４】
2019020972.tif 000016
【図１５】
2019020972.tif 000017
【図１６】
2019020972.tif 000018
【図１７】
2019020972.tif 000019
【図１８】
2019020972.tif 000020